(57)【要約】【課題】フェース部が枠状となっているヘッド本体と、該ヘッド本体に固着されたフェースプレートとを有するアイアン型ゴルフクラブヘッドにおけるインパクト時の振動を抑制し、打感を向上させることができるゴルフクラブヘッドを提供する。【解決手段】ゴルフクラブヘッド１は、フェース部が開口１１を有した枠状となっているヘッド本体１０と、このヘッド本体１０にレーザー溶接等によって固着されたフェースプレート２０とを有する。上縁部１３の長手方向（トウ・ヒール方向）の中央部が下方に突出した凸部１７となっており、該中央部の上下幅Ｗ１が上縁部１３のヒール側の上下幅Ｗ２及びトウ側の上下幅Ｗ３よりも大となっている。フェースプレート２０の背面に凹部２１，２２が設けられ、その間が厚肉部２３となっている。【選択図】図１
2014104034.tif 000002
【特許請求の範囲】
【請求項１】
フェース部が枠状となっているヘッド本体と、該ヘッド本体に固着されたフェースプレートとを有し、該フェースプレートの上縁部、下縁部及びトウ側縁部の背面が該ヘッド本体の上縁部、下縁部及びトウ側縁部の前面に固着されているアイアン型ゴルフクラブヘッドにおいて、
該ヘッド本体の上縁部の長手方向の中央部の上下幅が該上縁部のトウ側及びヒール側の上下幅よりも大きいことを特徴とするゴルフクラブヘッド。
【請求項２】
請求項１において、前記ヘッド本体の上縁部の長手方向中央部の最大の上下幅は、該上縁部のヒール側における最小の上下幅の１．５〜４倍であることを特徴とするゴルフクラブヘッド。
【請求項３】
請求項１又は２において、前記ヘッド本体の上縁部のトウ側における最小の上下幅は、ヒール側の最小の上下幅よりも小さいことを特徴とするゴルフクラブヘッド。
【請求項４】
請求項１ないし３のいずれか１項において、前記フェースプレートのトウ側及びヒール側の背面に凹部が設けられていることを特徴とするゴルフクラブヘッド。
【請求項５】
請求項４において、前記フェースプレートの前記凹部同士の間の部分にあっては、上辺部の厚さが下辺部の厚さよりも大きくなっていることを特徴とするゴルフクラブヘッド。
【請求項６】
請求項５において、前記フェースプレートの前面にスコアラインが設けられており、該スコアラインは、前記ヘッド本体の下縁部の上面の前方には不存在であることを特徴とするゴルフクラブヘッド。
【発明の詳細な説明】
【技術分野】
【０００１】
本発明は、アイアン型ゴルフクラブヘッドに係り、特にフェース部が枠状となっているヘッド本体と、該ヘッド本体に固着されたフェースプレートとを有するアイアン型ゴルフクラブヘッドに関するものである。
【背景技術】
【０００２】
アイアン型ゴルフクラブヘッドは、周知の通り、平面状のフェース面を有したフェース部と、該フェース部のヒール側に連なるホゼル部とを有し、該ホゼル部にはシャフト挿入穴が設けられている。このシャフト挿入穴にシャフトが挿入され、接着剤によって固着される。
【０００３】
アイアン型ゴルフクラブヘッドとして、特許文献１，２には、フェース側が枠状となっているヘッド本体と、該ヘッド本体に固着されたフェースプレートとを有し、該フェースプレートの縁部の背面が該ヘッド本体の周縁部の前面に固着されているアイアンヘッドが記載されている。
【０００４】
特許文献３には、フェース部背面の中央部（トウ・ヒール方向の中央部）をソール側ほど厚肉としたアイアン型ゴルフクラブヘッドが記載されているが、特許文献３のゴルフクラブヘッドはヘッド本体にフェースプレートを固着したものではない。
【先行技術文献】
【特許文献】
【０００５】
【特許文献１】特開２０１０−５２８１
【特許文献２】特開２００６−３２５７４８
【特許文献３】特開２００７−２８９６３９
【発明の概要】
【発明が解決しようとする課題】
【０００６】
本発明者が種々研究を重ねたところ、フェース部が枠状となっているヘッド本体と、該ヘッド本体に固着されたフェースプレートとを有するアイアン型ゴルフクラブヘッドにあっては、ボールを打ったインパクト時にヘッド本体の上縁部の長手方向中央部に大きな応力が生じること、また、これによりインパクト時の振動が大きくなり、打感が低下することが認められた。
【０００７】
本発明は、フェース部が枠状となっているヘッド本体と、該ヘッド本体に固着されたフェースプレートとを有するアイアン型ゴルフクラブヘッドにおけるインパクト時の振動を抑制し、打感を向上させることができるゴルフクラブヘッドを提供することを目的とする。
【課題を解決するための手段】
【０００８】
本発明のゴルフクラブヘッドは、フェース部が枠状となっているヘッド本体と、該ヘッド本体に固着されたフェースプレートとを有し、該フェースプレートの上縁部、下縁部及びトウ側縁部の背面が該ヘッド本体の上縁部、下縁部及びトウ側縁部の前面に固着されているアイアン型ゴルフクラブヘッドにおいて、該ヘッド本体の上縁部の長手方向の中央部の上下幅が該上縁部のトウ側及びヒール側の上下幅よりも大きいことを特徴とする。
【０００９】
前記ヘッド本体の上縁部の長手方向中央部の最大の上下幅は、該上縁部のヒール側における最小の上下幅の１．５〜４倍であることが好ましい。
【００１０】
前記ヘッド本体の上縁部のトウ側における最小の上下幅は、ヒール側の最小の上下幅と等しくてもよく、それよりも小さくてもよい。
【００１１】
前記フェースプレートのトウ側及びヒール側の背面に凹部が設けられていることが好ましい。この場合、該凹部同士の間の部分にあっては、上辺部の厚さが下辺部の厚さよりも大きくなっていることが好ましい。
【００１２】
前記ヘッド本体の下縁部の上面の前方にはスコアラインが存在しないことが好ましい。
【発明の効果】
【００１３】
本発明のゴルフクラブヘッドにあっては、フェース部が枠状となっているヘッド本体の上縁部の長手方向（トウ・ヒール方向）中央部の上下幅をトウ側及びヒール側の上下幅よりも大きくしているので、インパクト時に該上縁部の中央部に生じる応力が小さくなり、インパクト時の振動が抑制され、打感が向上する。特に、ヘッド本体の上縁部の長手方向中央部の最大上下幅をヒール側の最小上下幅の１．５〜４倍とすることにより、かかる効果が顕著となる。
【００１４】
本発明では、上縁部の中央部のみ上下幅を大きくしているので、重量増加が少ない。
【００１５】
インパクト時に生じる応力は、ヘッド本体のトウ側の方がヒール側よりも小さいので、該ヘッド本体の上縁部のトウ側の最小上下幅をヒール側の最小上下幅よりも小さくしてもよい。このようにすれば、その分だけゴルフクラブヘッドの重量が小さくなる。
【００１６】
フェースプレートのトウ側及びヒール側は、中央部に比べてインパクト時の応力が小さいので、フェースプレート背面のトウ側及びヒール側に凹部を設け、ゴルフクラブヘッドの重量を小さくしてもよい。
【００１７】
この場合、凹部同士間の部分は、相対的に厚さが大きい厚肉部となる。この厚肉部の上辺部の厚さを下辺部の厚さよりも大きくすることにより、ヘッド本体の上縁部の中央部付近を補強することができる。
【００１８】
フェースプレートの前面には一般にスコアラインが設けられる。ヘッド本体の下縁部の上面の前方にスコアラインを設けないようにすることにより、インパクト時にフェースプレート下部に生じる剪断応力を小さくすることができる。
【図面の簡単な説明】
【００１９】
【図１】実施の形態に係るアイアン型ゴルフクラブヘッドの背面図である。
【図２】実施の形態に係るアイアン型ゴルフクラブヘッドの斜視図である。
【図３】図１のIII−III線に沿う断面図である。
【図４】図１のIV−IV線に沿う断面図である。
【図５】ゴルフクラブヘッドの分解斜視図である。
【図６】図５のVI−VI線に沿う断面図である。
【図７】実施の形態における応力分布の説明図である。
【図８】比較例における応力分布の説明図である。
【図９】別の実施の形態に係るアイアン型ゴルフクラブヘッドの背面図である。
【図１０】異なる実施の形態に係るアイアン型ゴルフクラブヘッドの背面図である。
【図１１】ゴルフクラブヘッドの応力分布図である。
【発明を実施するための形態】
【００２０】
以下、図１〜７を参照して実施の形態について説明する。
【００２１】
このアイアン型ゴルフクラブヘッド１は、フェース部が開口１１を有した枠状となっているヘッド本体１０と、このヘッド本体１０にレーザー溶接等によって固着されたフェースプレート２０とを有する。フェースプレート２０の上縁部、トウ側縁部及び下縁部の外周縁はヘッド本体の外周縁と合致している。
【００２２】
ヘッド本体１０のヒール側にはホゼル部１２が設けられている。
【００２３】
図５の通り、ヘッド本体１０のフェース部の上縁部１３、下縁部（ソール部）１４及びトウ側縁部１５は、ヘッド本体１０のヒール側の前面部１６よりもフェースプレート２０の厚み分だけ後退している。
【００２４】
この実施の形態では、ヘッド本体１０はステンレス、軟鉄などの鉄系材料にて構成されている。
【００２５】
図１，５の通り、上縁部１３の長手方向（トウ・ヒール方向）の中央部が下方に突出した凸部１７となっており、該中央部の上下幅Ｗ１が上縁部１３のヒール側の最小上下幅Ｗ２及びトウ側の最小上下幅Ｗ３よりも大となっている。
【００２６】
この実施の形態では、凸部１７は、その長手方向において上下幅Ｗ１が一定となっている。中央部の上下幅Ｗ１は、ヒール側の最小上下幅Ｗ２の１．５〜４倍特に２．０〜３．５倍程度であることが好ましい。上縁部１３のトウ側は、略一定の上下幅Ｗ３となっている。上縁部１３のヒール側は略一定の上下幅Ｗ２となっている。従って、この実施の形態ではトウ側最小上下幅はＷ３であり、ヒール側最小上下幅はＷ２である。このトウ側上下幅Ｗ３はヒール側上下幅Ｗ２と同一となっているが、Ｗ２よりも若干小さくてもよい。
【００２７】
Ｗ１は３．５〜７．２ｍｍ、特に４．０〜６．３ｍｍ程度が好ましく、Ｗ１−Ｗ２は１．８〜３ｍｍ、特に２．０〜３．０ｍｍ程度が好ましい。凸部１７の長手方向の長さＬはフェースプレート２０のトウ・ヒール方向の最大長さの２５〜４０％特に３０〜３１％であることが好ましい。
【００２８】
図４の通り、ヘッド本体１０の下縁部（ソール部）１４は、後方に延出し、その後縁は、若干上方に立ち上っているが、図示よりもさらに高く立ち上ってもよい。また、このソール部にはタングステン等の高比重材料よりなるウェイトを埋設してもよい。
【００２９】
図５の通り、フェースプレート２０の背面のトウ側に第１の凹部２１が設けられ、ヒール側に第２の凹部２２が設けられている。凹部２１，２２の間は、トウ側及びヒール側に比べて相対的に厚みの大きい厚肉部２３となっている。
【００３０】
フェースプレート２０は、凹部２１，２２を除いて、上辺側の厚さが最も大きく、下辺側に向って徐々に厚さが小さくなっている。
【００３１】
厚肉部２３において、上辺側の厚さは２．０〜３．２ｍｍ特に２．１〜２．８ｍｍ程度であることが好ましく、下辺側は上辺側よりも厚さが０．２〜０．５ｍｍ特に０．３〜０．４ｍｍ小さいことが好ましい。
【００３２】
フェースプレート２０の凹部２１，２２以外の部分の平均厚さは、３．２〜１．８ｍｍ特に１．９〜２．８ｍｍであることが好ましい。凹部２１，２２におけるフェースプレートの平均厚さは、それよりも０．１〜０．４ｍｍ特に０．２〜０．３ｍｍ小さいことが好ましい。
【００３３】
図５の通り、厚肉部２３のトウ・ヒール方向の幅は、上部において最も小さく下部に向って徐々に大きくなっている。厚肉部２３の上部のトウ・ヒール方向の幅Ｂ１は凸部１７と等しいことが好ましく、下部のトウ・ヒール方向の幅Ｂ２は凸部１７と等しいか、凸部１７の幅の１．５倍までの範囲であることが好ましい。
【００３４】
フェースプレート２０の好ましい構成材料としては、ステンレス、軟鉄、チタン合金、銅合金などが挙げられるが、これに限定されない。
【００３５】
フェースプレート２０の前面にはスコアライン２５が平行に複数本設けられている。ヘッド本体１０の下縁部（ソール部）１４の上面１４ａの前方にはスコアライン２５は設けられていない。即ち、下縁部１４の上面の前縁からフェース面に下した垂線と該フェース面とが交わる交点は、スコアライン２５から離隔している。該交点から直近のスコアラインまでの距離は１ｍ以上、特に１〜５ｍｍであることが好ましい。
【００３６】
このように下縁部１４の上面１４ａとスコアライン２５とを合致させないことにより、インパクト時にフェースプレート２０の該下縁部１４の上面１４ａ付近に生じる剪断応力が小さくなる。
【００３７】
このように構成されたゴルフクラブヘッド１にあっては、フェース部が枠状となっているヘッド本体１０の上縁部１３の長手方向（トウ・ヒール方向）中央部に凸部１７を設けて上下幅Ｗ１をヒール側の上下幅Ｗ２及びトウ側の上下幅Ｗ３よりも大きくしているので、インパクト時に該上縁部１３の中央部に生じる応力が小さくなり、インパクト時の振動が抑制され、打感が向上する。Ｗ１をＷ２の１．５〜４．０倍とすることにより、かかる効果が顕著となる。
【００３８】
本発明では、上縁部１３の長手方向中央部のみ上下幅Ｗ１を大きくしているので、重量増加が少ない。
【００３９】
また、フェースプレート２０の厚肉部２３の上辺側が厚さの大きいものとなっているので、このフェースプレート２０の上辺部によっても上縁部１３の長手方向中央部が補強されることになり、打感が良好である。
【００４０】
この実施の形態では、フェースプレート２０のトウ側及びヒール側に凹部２１，２２を設けたので、その分だけゴルフクラブヘッドの重量が小さいものとなっている。
【００４１】
本発明では、インパクト時に生じる応力は、ヘッド本体のトウ側の方がヒール側よりも小さいので、前述の通り、該ヘッド本体の上縁部のトウ側の上下幅Ｗ３をヒール側の上下幅Ｗ２よりも小さくしてもよい。このようにすれば、その分だけゴルフクラブヘッドの重量が小さくなる。
【００４２】
上記実施の形態では、凸部１７は、その長手方向において上下幅（下方への突出高さ）が均一であったが、図９，１０の実施の形態に係るゴルフクラブヘッド１Ａ，１Ｂのヘッド本体１０Ａ，１０Ｂの凸部１７Ａ，１７Ｂのように、長手方向において上下幅が一定でなくてもよい。凸部１７Ａでは、ヒール側において上下幅が最大となり、トウ側に向って徐々に上下幅が小さくなっている。凸部１７Ｂでは、上縁部１３の長手方向中間において上下幅が最大となり、そこからトウ側及びヒール側に向って徐々に高さが小さくなっている。
【００４３】
図９，１０のヘッド本体１０Ａ，１０Ｂのその他の構成はヘッド本体１０と同一であり、同一符号は同一部分を示している。
【００４４】
本発明は、インパクト時にフェース部の上縁部１３に大きな応力が生じるロフト角２０°以下例えば２７°〜４５°のアイアンヘッドに適用するのに好適である。
【実施例】
【００４５】
＜実施例１＞
５番アイアン（ロフト角２７°）用のヘッド本体１０をＳＵＳ６３０にて図１〜６のように構成した。Ｗ１＝６．７ｍｍ、Ｗ２＝２．２ｍｍ、Ｗ３＝２．２ｍｍとした。
【００４６】
フェースプレート２０には、ＳＵＳ４１５の圧延板材を切り出したものを用いた。彫刻機にてスコアライン（溝）を形成した。
【００４７】
フェースプレート２０とヘッド本体１０とをレーザー溶接することにより、アイアン型ゴルフクラブヘッド１とした。フェースプレート２０の上縁の厚さは２．７ｍｍ、下縁の厚さは２．４ｍｍ、凹部２１，２２における厚さは２．２ｍｍ、厚肉部２３の最上部の幅Ｂ１は３０ｍｍ、厚肉部２３の最下部の幅Ｂ２は３５ｍｍとした。
【００４８】
このゴルフクラブヘッド１０にカーボンシャフトを取り付けたゴルフクラブについて、ヘッドスピード３８ｍ／ｓｅｃにてボールをヒットしたときに上縁部１３に生じる応力分布をコンピュータシミュレーションにより計算した。その結果を図７及び図１１（ｂ）に示す。
【００４９】
＜比較例１＞
図８に示すように、凸部１７を省略したヘッド本体１０’を用い、またフェースプレート２０’として凹部２１，２２を設けないものを用いたこと以外は実施例１と同一のゴルフクラブヘッド１’について実施例１と同様のシミュレーション計算を行った。その結果を図８及び図１１（ａ）に示す。なお、図１１（ａ），（ｂ）において、青→緑→黄→赤の順に応力が大きくなっている。
【００５０】
図７，８及び図１１（ａ），（ｂ）の対比より、本発明によるとインパクト時にヘッド本体の上縁部１３の中央部に生じる応力が小さくなることが認められた。
【符号の説明】
【００５１】
１，１Ａ，１Ｂ，１’  ゴルフクラブヘッド
１０，１０Ａ，１０Ｂ，１０’  ヘッド本体
１１  開口
１３  上縁部
１４  下縁部
１４ａ  下縁部の上面
１５  トウ側縁部
１６  ヒール側の前面部
２０，２０’  フェースプレート
２１，２２  凹部
２３  厚肉部
２５  スコアライン
【図１】
2014104034.tif 000003
【図２】
2014104034.tif 000004
【図３】
2014104034.tif 000005
【図４】
2014104034.tif 000006
【図５】
2014104034.tif 000007
【図６】
2014104034.tif 000008
【図７】
2014104034.tif 000009
【図８】
2014104034.tif 000010
【図９】
2014104034.tif 000011
【図１０】
2014104034.tif 000012
【図１１】
2014104034.tif 000013